(57)【要約】【課題】不快グレアを低減しつつ、発光効率の低下を抑えてさらに光源に起因する輻射熱又は伝導熱による信頼性の低下を抑制すること。【解決手段】照明器具１は、筒状のケース２と、光源３と、光学部材４と、配光部材５と、を備える。配光部材５は、光源３から光学部材４を通じて放射された光の配光を制御する。配光部材５は、複数の筒体５０を有する。各筒体５０は、第１端５０ａ及び第２端５０ｂが開口した中空の筒状に形成されて、光軸Ｌ１に沿って延びる内側面５０ｃを有する。各筒体５０の第１端５０ａは、光学部材４と対向する。各筒体５０の第２端５０ｂは、開口部２０と対向する。配光部材５は、開口部２０と光学部材４との間において、光学部材４から所定の距離Ｄ１だけ離れるように配置されている。【選択図】図１
2018045867.tif 000002
【特許請求の範囲】
【請求項１】
一端に開口部を有した筒状のケースと、
前記ケース内に収容される光源と、
透光性を有し、前記ケース内において前記開口部と前記光源との間に配置される光学部材と、
前記光源から前記光学部材を通じて放射された光の配光を制御する配光部材と、
を備え、
前記配光部材は、複数の筒体を有し、前記複数の筒体の各々は、第１端及び第２端が開口した中空の筒状に形成されて、前記光源から前記開口部に向かう光の光軸に沿って延びる内側面を有し、
前記複数の筒体の各々の前記第１端は、前記光学部材と対向し、前記複数の筒体の各々の前記第２端は、前記開口部と対向し、
前記配光部材は、前記開口部と前記光学部材との間において、前記光学部材から所定の距離だけ離れるように配置されている
ことを特徴とする照明器具。
【請求項２】
前記所定の距離は、前記第１端から前記第２端までの距離以上である
ことを特徴とする請求項１に記載の照明器具。
【請求項３】
さらに、両端が開口した中空筒状のホルダーを備え、
前記ホルダーは、前記配光部材が前記光学部材から前記所定の距離だけ離れた状態を保つように、前記配光部材を内部で保持する
ことを特徴とする請求項１又は２に記載の照明器具。
【請求項４】
さらに、両端が開口した中空筒状の支持体を備え、
前記支持体の外側面は、前記開口部と前記光学部材との間における前記ケースの内側面を覆い、
前記支持体は、前記支持体の内部で前記ホルダーを着脱可能に支持する
ことを特徴とする請求項３に記載の照明器具。
【請求項５】
前記ホルダーは、径方向における外側に突出する突出部を有し、
前記支持体は、前記突出部が嵌まり合う溝部を有する
ことを特徴とする請求項４に記載の照明器具。
【請求項６】
前記複数の筒体の各々は、六角筒状に形成され、
前記配光部材は、前記複数の筒体が結合されたハニカム構造を有する
ことを特徴とする請求項１〜５のいずれか１項に記載の照明器具。
【発明の詳細な説明】
【技術分野】
【０００１】
本発明は、一般に照明器具に関し、より詳細には筒状のケースから光を出射する照明器具に関する。
【背景技術】
【０００２】
従来、例えばスポットライトのように、筒状のケースから光を出射する照明器具が知られている（例えば特許文献１参照）。この特許文献１に記載されるスポットライトは、キャップ状のグレアシールド（配光部材）を備える。
【０００３】
このグレアシールドは、ランプの先端部を覆うように配置されて、ランプから放射された光が直接人の視界に入ることにより感じる不快な眩しさ（不快グレア）を低減させることができる。要するに、このスポットライトは、ランプから前方に照射される直接光をグレアシールドで遮って、リフレクタによる反射光のみが照明光として照射されるように構成されている。
【先行技術文献】
【特許文献】
【０００４】
【特許文献１】特開２０１０−２５１２０７号公報
【発明の概要】
【発明が解決しようとする課題】
【０００５】
特許文献１に記載されるスポットライトは、不快グレアを低減することはできても、ランプからの直接光が完全に遮られることになる。そのため、所定の入力電力における照明空間に照射される光束が減少（すなわち、発光効率の低下）してしまう問題があった。
【０００６】
また、このスポットライトは、グレアシールドとランプとの間に十分なクリアランスが設けられているとは言えず、グレアシールド、又はグレアシールドと接触している部材がランプに起因する熱（輻射熱あるいは伝導熱）を受けやすかった。すなわち、グレアシールド等が熱により劣化して信頼性が低下するおそれがあった。
【０００７】
本発明は上記事由に鑑みてなされ、不快グレアを低減しつつ、発光効率の低下を抑えてさらに熱による信頼性の低下を抑制することができる照明器具を提供することを目的とする。
【課題を解決するための手段】
【０００８】
本発明の一態様に係る照明器具は、筒状のケースと、光源と、光学部材と、配光部材と、を備える。前記ケースは、一端に開口部を有する。前記光源は、前記ケース内に収容される。前記光学部材は、透光性を有し、前記ケース内において前記開口部と前記光源との間に配置される。前記配光部材は、前記光源から前記光学部材を通じて放射された光の配光を制御する。前記配光部材は、複数の筒体を有する。前記複数の筒体の各々は、第１端及び第２端が開口した中空の筒状に形成されて、前記光源から前記開口部に向かう光の光軸に沿って延びる内側面を有する。前記複数の筒体の各々の前記第１端は、前記光学部材と対向し、前記複数の筒体の各々の前記第２端は、前記開口部と対向する。前記配光部材は、前記開口部と前記光学部材との間において、前記光学部材から所定の距離だけ離れるように配置されている。
【発明の効果】
【０００９】
本発明は、不快グレアを低減しつつ、発光効率の低下を抑えてさらに光源に起因する輻射熱又は伝導熱による信頼性の低下を抑制することができる、という利点がある。
【図面の簡単な説明】
【００１０】
【図１】図１は、本発明の一実施形態に係る照明器具の断面斜視図である。
【図２】図２は、同上の照明器具の外観を示す斜視図である。
【図３】図３は、同上の照明器具における要部が拡大された断面斜視図である。
【図４】図４は、同上の照明器具の一部が分解された断面斜視図である。
【図５】図５は、本発明の一実施形態に係る照明器具の変形例の断面図である。
【図６】図６は、同上の変形例の一部が分解された断面斜視図である。
【発明を実施するための形態】
【００１１】
（実施形態）
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。また、各図は、模式的な図であり、図１〜６中の各構成要素の大きさや厚さそれぞれの比が、必ずしも実際の寸法比を反映しているとは限らない。
【００１２】
本実施形態の照明器具１（以下、単に「照明器具１」という）は、図１に示すように、筒状のケース２と、光源３と、光学部材４と、配光部材５と、を備える。ケース２は、一端に開口部２０を有する。つまり、ケース２は、軸方向における両端のうちの一端に開口部２０を有する。
【００１３】
光源３は、ケース２内に収容される。光学部材４は、透光性を有し、ケース２内において開口部２０と光源３との間に配置される。配光部材５は、光源３から光学部材４を通じて放射された光の配光を制御する。要するに光源３、光学部材４及び配光部材５は、ケース２内においてこの順番で収容される。なお、本実施形態では、光学部材４はレンズ部４０を有する。レンズ部４０は、一例としてフレネルレンズである。
【００１４】
配光部材５は、図１及び図３に示すように、複数の筒体５０を有する。複数の筒体５０の各々は、第１端５０ａ及び第２端５０ｂが開口した中空の筒状に形成されている。また、複数の筒体５０の各々は、光源３から開口部２０に向かう光の光軸Ｌ１に沿って延びる内側面５０ｃを有する。言い換えると、配光部材５は、光軸Ｌ１に沿って貫通する複数の導光孔５１を有する。
【００１５】
複数の筒体５０の各々の第１端５０ａは、光学部材４と対向する。複数の筒体５０の各々の第２端５０ｂは、開口部２０と対向する。言い換えると、複数の導光孔５１の入口は、光学部材４と対向し、複数の導光孔５１の出口は、開口部２０と対向する。つまり、光源３から放射された光は、光学部材４のレンズ部４０を通って複数の導光孔５１内に導入され、それからケース２の開口部２０より出射される。配光部材５は、開口部２０と光学部材４との間において、光学部材４から所定の距離Ｄ１だけ離れるように配置されている。
【００１６】
なお、照明器具１は、配光部材５をケース２の内部で保持するホルダー６及びホルダー６を支持する支持体７を別途備えている。しかし、このような構造以外にも例えば、図５に図示される変形例（照明器具１Ａ）のように、配光部材５Ａは、第１弾性部材１１及び第２弾性部材１２によってケース２Ａの内部で直接保持されてもよい。
【００１７】
以下の説明では、図２に示すように、照明器具１が筒状のケース２から光を出射するスポットライトであることを想定する。また、以下の説明では、図２に示すように、照明器具１の光軸Ｌ１に平行な方向をｚ軸方向、光軸Ｌ１に垂直で互いに直交する２つの方向をｘ軸方向及びｙ軸方向と規定する。照明器具１のアーム２００の長手方向は、ｙ軸方向と平行である。
【００１８】
（２）詳細
（２．１）照明器具
照明器具１は、図２に示すように、器具本体１００と、電源ボックス（不図示）と、器具本体１００及び当該電源ボックスを連結するアーム２００と、を備える。
【００１９】
電源ボックスは、光源３に電力を供給する電源回路を内部に備える。電源回路は、外部電源（例えば商用電源）から供給された交流電力を直流電力に変換し、リード線を介して器具本体１００に供給する。当該リード線の第１端は、電源回路に電気的に接続され、第２端は、器具本体１００の光源３に電気的に接続されている。なお、当該リード線は、アーム２００の内部に配置される。
【００２０】
アーム２００は、金属材料によって形成されている。アーム２００は、例えば、アルミニウム又はアルミニウム合金によって形成されてもよい。本実施形態のアーム２００は、器具本体１００及び上記電源ボックスに対して回転可能に取り付けられている。これにより、照明器具１の光軸Ｌ１の方向を調整することができる。
【００２１】
器具本体１００は、図１及び図４に示すように、光源３と、基台９と、反射部材１０と、光学部材４と、配光部材５と、ホルダー６と、支持体７と、弾性部材８と、これらを内部に収容するケース２と、を備える。
【００２２】
（２．１．１）光源
光源３は、例えば１又は複数のＬＥＤ（Light emitting diode）を有するＬＥＤモジュールであって、所定の光を放射状に出射する。光源３は、基台９のｚ軸方向正側の端面に取り付けられる。光源３は、図１に示すように、発光部３０と基板３１とを備える。本実施形態では、光源３は、ＬＥＤが基板３１に直接実装されたＣＯＢ（Chip On Board）構造を有する。
【００２３】
基板３１は、ＬＥＤを実装するための実装基板であって、例えばセラミックス基板、樹脂基板、又はメタルベース基板等である。基板３１は、例えば矩形板状に形成されている。基板３１には、ＬＥＤを発光させるための直流電力を上記電源ボックスから受電する一対の電極端子と、複数のＬＥＤ同士を電気的に接続するための所定のパターン導体とが形成されている。
【００２４】
発光部３０は、基板３１に実装された１又は複数のＬＥＤと、ＬＥＤを封止する封止部材とを有する。ＬＥＤは、発光素子の一例であり、本実施形態では単色の可視光を発するベアチップである。ＬＥＤは、例えば、青色光を発する青色ＬＥＤチップである。発光部３０が複数のＬＥＤを有する場合、複数のＬＥＤが基板３１にマトリックス状に配置されてもよい。
【００２５】
上記封止部材として、例えば透光性を有する樹脂材が用いられる。本実施形態における封止部材は、ＬＥＤから放射された光を波長変換する波長変換材として蛍光体を含んでいる。封止部材は、例えば、シリコーン樹脂に蛍光体を分散させた蛍光体含有樹脂である。蛍光体粒子としては、ＬＥＤが青色光を発光する青色ＬＥＤチップである場合、白色光を得るために、例えばＹＡＧ系の黄色蛍光体が用いられてもよい。封止部材は、ＬＥＤを封止するように円形状に形成されている。
【００２６】
（２．１．２）基台
基台９は、図１及び図４に示すように、光源３が取り付けられる部材である。基台９は、金属材料によって形成されている。基台９は、例えば、アルミニウム又はアルミニウム合金によって形成されてもよい。本実施形態では、基台９は、光源３で発生した熱を放射するヒートシンクとしても機能する。基台９は、ネジ止め等によってケース２に固定される。
【００２７】
（２．１．３）ケース
ケース２は、図１及び図４に示すように、略円筒形状に形成されていて、その内部には光源３が収容される。ケース２は、金属材料によって形成されている。ケース２は、例えば、アルミニウム又はアルミニウム合金によって形成されてもよい。
【００２８】
ケース２は、その軸方向における両端のうちの（ｚ軸方向正側の）一端に開口部２０を有する。ケース２の軸方向は、光軸Ｌ１と平行である。光源３から放射された光は、ケース２の開口部２０を通じて外部に出射される。なお、ケース２内では、光源３から開口部２０にわたって、反射部材１０、光学部材４、配光部材５が光軸Ｌ１に沿って順に配置されている。
【００２９】
また、ケース２は、図３に示すように、後述する支持体７の複数の凸部７０が引掛けられる凹部２１を有する。凹部２１は、ケース２の開口部２０付近の内側面において、ケース２の径方向における外方に窪んでいる。凹部２１は、ケース２の内側面の周方向に沿って連続的に形成されている。
【００３０】
（２．１．４）反射部材
反射部材１０は、図１及び図４に示すように、光源３から放射された光を、光学部材４に向けて反射させるように構成されている。反射部材１０は、例えばＰＢＴ（ポリブチレンテレフタレート樹脂）などの硬質の白色樹脂材料から形成されている。なお、反射部材１０の内側面には、アルミニウムなどの金属膜が設けられてもよい。
【００３１】
反射部材１０は、その軸方向における両端が開口した略円筒形状に形成されている。反射部材１０の軸方向は、光軸Ｌ１と平行である。具体的には、反射部材１０は、図１に示すように、光源３から放射された光が入射する入射口を有した第１端部１０ａと、光学部材４に向かって光が出射する出射口を有した第２端部１０ｂと、を備える。光学部材４は、第２端部１０ｂの周縁部において第２端部１０ｂの出射口を覆うように取り付けられている。
【００３２】
反射部材１０は、第１端部１０ａから第２端部１０ｂに向かって内径が漸次大きくなるように形成されている。要するに、第２端部１０ｂの出射口の内径寸法は、第１端部１０ａの入射口の内径寸法よりも大きい。反射部材１０は、上述のような構造を有することで、光源３から放射された光を光学部材４に向けて効率良く反射する。
【００３３】
（２．１．５）光学部材
光学部材４は、透光性を有し、略円板状に形成されている。光学部材４には、光源３からの直接光、及び反射部材１０からの反射光が入射される。光学部材４の軸方向は、光軸Ｌ１と平行である。光学部材４は、例えば、アクリル樹脂、ポリカーボネート樹脂などの透明樹脂材料、又はガラスなどの透明材料によって形成されている。
【００３４】
光学部材４は、図１及び図３に示すように、レンズ部４０を有する。本実施形態のレンズ部４０は、一例としてフレネルレンズである。レンズ部４０は、反射部材１０からの光を集光してケース２の開口部２０側に向けて効率良く出射する。なお、レンズ部４０のような集光する機能は必須ではなく、光学部材４は、単に光源３を覆う透光性を有したカバー部材であってもよい。
【００３５】
（２．１．６）配光部材
配光部材５は、光源３から光学部材４を通じて放射された光の配光を制御する。配光部材５は、図１及び図３に示すように、複数の筒体５０を有する。複数の筒体５０の各々は、第１端５０ａ及び第２端５０ｂが開口した中空の筒状に形成されている。また、複数の筒体５０の各々は、光源３から開口部２０に向かう光の光軸Ｌ１に沿って延びる内側面５０ｃを有する。複数の筒体５０の各々の第１端５０ａは、光学部材４と対向する。複数の筒体５０の各々の第２端５０ｂは、開口部２０と対向する。
【００３６】
本実施形態では、配光部材５は、図１及び図３に示すように、厚み方向に貫通する複数の導光孔５１を有した略円板状の板材である。複数の導光孔５１の入口は、光学部材４と対向する。複数の導光孔５１の出口は、開口部２０と対向する。配光部材５の厚み方向は、光軸Ｌ１と平行である。光源３から放射された光は、光学部材４を透過して配光部材５の複数の導光孔５１を通り、ケース２の開口部２０から外部に出射される。以下、配光部材５についてより詳細に説明する。
【００３７】
配光部材５は、ケース２の開口部２０から外部に突出することなくケース２内に収容されている。特に、本実施形態の配光部材５は、図１に示すように、開口部２０と光学部材４との間において、光学部材４から所定の距離Ｄ１だけ離れるように配置されている。所定の距離Ｄ１は、例えば、各筒体５０の第１端５０ａから第２端５０ｂまでの距離以上であることが好ましい。
【００３８】
また本実施形態では、配光部材５は、ハニカム構造を有する。すなわち、各筒体５０は、六角筒状に形成され、その軸方向が光軸Ｌ１と平行となるように配置されている。上記ハニカム構造は、複数の筒体５０が側方に結合して配列されることで形成されている。そのため、複数の導光孔５１の各々は、配光部材５の厚み方向に沿って見たときに六角形状に形成されている。なお、図示例では、複数の導光孔５１の各々は、厚み方向に沿って見たときに正六角形に形成されているが、正六角形に限定されない。例えば、複数の導光孔５１は、平行六角形状の導光孔５１を含んでいてもよい。
【００３９】
本実施形態では、配光部材５は、一例としてアルミ箔を六角形の蜂巣状に成形したアルミハニカムコアから形成されている。このようなアルミハニカムコアは、比較的軽量で高い強度を有している。また、配光部材５の各筒体５０の内側面５０ｃは、例えばグレア抑制面として形成されている。グレア抑制面は、例えば、内側面５０ｃを黒色に塗装した後に艶消し処理を施すことにより実現される。
【００４０】
配光部材５は、上述のように、各々が光軸Ｌ１に沿って延びる内側面５０ｃを有した複数の筒体５０を備えることで、ユーザ（観測者）の目の方向に対する照明器具１の発光部分の立体角を小さくすることができる。その結果、効率良く不快グレアを抑制することができる。また、特許文献１に記載されるスポットライトのグレアシールドとは異なり、配光部材５は、光源３の直接光を遮る構成を有していないため、発光効率の低下を抑えることもできる。
【００４１】
また、配光部材５は、開口部２０から外部に突出することなくケース２内に収容されているため、照明器具１全体としての小型化にも貢献することができる。例えば特許文献１に記載されるスポットライトのフードのように、不快グレアを抑制するために配光部材５の代わりにケース２の開口部２０に対して筒状のフードを連結させて光源３からの距離を稼ぐ構成も考えられる。しかし、このような構成では照明器具１全体の小型化を図ることはできない。この点で本実施形態の配光部材５が設けられることで、不快グレアを抑制しつつ、照明器具１全体の小型化を図ることもできる。また、フードを連結させる場合に比べて見栄えもよい。
【００４２】
なお、配光部材５は、複数の筒体５０の数を増やすほど、不快グレアの抑制を更に向上させることができる。また、配光部材５の厚み寸法を増やすほど、不快グレアの抑制を更に向上させることができる。
【００４３】
ところで、一般的に光源の近くに配置される部材、あるいは当該部材と接触する部材は、光源に起因する輻射熱又は伝導熱によって温度が上昇しやすい。また、光源を覆う光学部材は、例えば光透過率が比較的高いアクリル樹脂等で形成されている場合があるが、アクリル樹脂は、相対的に熱に弱い。本実施形態の場合においても、配光部材５は、黒色のグレア抑制面を有しているため、光源３から放射された光を吸収して温度が上昇しやすい。例えば、光学部材４がアクリル樹脂により形成されていて、もし黒色のグレア抑制面を有する配光部材５が光学部材４と接触していると、配光部材５からの伝導熱により光学部材４が劣化するおそれがある。
【００４４】
これに対して、本実施形態の配光部材５は、光学部材４から所定の距離Ｄ１だけ離れるように配置されている。言い換えれば、配光部材５は、光学部材４と接触することなく配置されている。さらに、配光部材５は、特許文献１に記載されるスポットライトのグレアシールドとは異なり、光源３との間に光学部材４が配置されており、十分に光源３から離されて配置されていると言える。したがって、光源３に起因する輻射熱又は伝導熱によって配光部材５、光学部材４等が劣化することを抑えることができる。すなわち、輻射熱又は伝導熱による信頼性の低下を防ぐことができる。
【００４５】
（２．１．７）支持体
支持体７は、図１、図３及び図４に示すように、両端が開口した中空筒状の部材であり、ケース２の内側に配置される。支持体７は、一例として略円筒形状に形成されている。支持体７は、その内部においてホルダー６を着脱可能に支持するように構成されている。支持体７の軸方向は、光軸Ｌ１と平行である。支持体７は、例えば、ポリカーボネート又はＰＢＴなどの樹脂材料によって形成されている。支持体７は、ケース２内の光学部材４よりも光出射側（ｚ軸方向正側）の位置において、支持体７の外側面がケース２の内側面を覆うように配置される。つまり、支持体７の外側面は、開口部２０と光学部材４との間におけるケース２の内側面を覆う。
【００４６】
支持体７の外径寸法は、ケース２の内径寸法よりも若干小さい。また、支持体７の内径寸法は、反射部材１０の第２端部１０ｂの出射口の内径寸法と略等しい。支持体７は、ｚ軸方向負側におけるその周縁端が光学部材４と接触するように配置されている。また、支持体７は、ｚ軸方向正側におけるその周縁端がケース２の開口部２０よりも外側に突出しないように配置されている。
【００４７】
支持体７は、図３及び図４に示すように、その外側面に複数の凸部７０（図３では１つのみ図示）を備える。複数の凸部７０は、支持体７の径方向における外方に突出する。支持体７は、複数の凸部７０がケース２の凹部２１に引っ掛けられることにより、ケース２に保持される。複数の凸部７０は、支持体７の外側面の周方向に沿って等間隔で配置されている。なお、複数の凸部７０の代わりに、フランジ状に突出する連続的な凸部が設けられていてもよい。
【００４８】
さらに、支持体７は、図３及び図４に示すように、その外側面に複数の接触部７１（図３では１つのみ図示）を備える。複数の接触部７１は、支持体７の径方向における外方に突出する。複数の接触部７１は、凸部７０よりもｚ軸方向負側に設けられている。複数の接触部７１は、支持体７の外側面の周方向に沿って等間隔で配置されている。なお、複数の接触部７１の代わりに、フランジ状に突出する連続的な接触部が設けられていてもよい。
【００４９】
接触部７１は、凸部７０がケース２の凹部２１に引っ掛けられた状態において、ケース２の内側面と接触するように形成されている。各接触部７１の突出量は、凸部７０の突出量よりも若干少ない。支持体７は、複数の接触部７１とケース２の内側面との間に生じる摩擦力により、ケース２に対して強固に保持される。
【００５０】
支持体７の内側面（光軸Ｌ１側の面）は、黒色のグレア抑制面として形成されている。すなわち、ケース２の内側面のうち光学部材４より光出射側の部分は、支持体７のグレア抑制面で覆われる。これにより、ケース２の内側面におけるグレアが抑制される。グレア抑制面は、例えば、支持体７の内側面を黒色に塗装して艶消し処理を施すことにより実現される。あるいは、グレア抑制面は、黒色に塗装した面、又は、黒色の部材からなる面に、シボ加工を施すことによって実現されてもよい。なお、本実施形態の支持体７は、図４に示すように、その内側面に、グレアをさらに抑制するための複数の段部７２を備える。
【００５１】
また、支持体７は、図３及び図４に示すように、その内側面に溝部７３と複数の突起７４（図３では１つのみ図示）とを備える。溝部７３は、支持体７のｚ軸方向負側における周縁端において、径方向の外方へ窪むように形成されている。溝部７３は、支持体７の周方向に沿って連続的に設けられている。複数の突起７４は、光軸Ｌ１側に向かって突出する。複数の突起７４は、溝部７３よりもｚ軸方向正側において、溝部７３に沿って等間隔で配置されている。
【００５２】
ホルダー６が支持体７内に収容されたときに後述するホルダー６の突出部６１が溝部７３に嵌まり合うことで、ホルダー６が支持体７内において着脱可能に取り付けられる。また、突出部６１が溝部７３に嵌まり合うと同時に、複数の突起７４がホルダー６の外側面にある凹所６２に入り込むため、ホルダー６が支持体７に対して強固に保持される。
【００５３】
（２．１．８）ホルダーと弾性部材
ホルダー６は、図１、図３及び図４に示すように、両端が開口した中空筒状の部材であり、ケース２の内側に配置される。ホルダー６は、一例として略円筒形状に形成されている。ホルダー６は、配光部材５が光学部材４から所定の距離Ｄ１だけ離れた状態を保つように、配光部材５を内部で保持する。ホルダー６は、支持体７内に着脱可能に取り付けられる。ホルダー６は、支持体７内に取り付けられたとき、ホルダー６の外側面が支持体７の内側面を覆うように配置される。ホルダー６の軸方向は、光軸Ｌ１と平行である。以下、ホルダー６についてより詳細に説明する。
【００５４】
ホルダー６は、図１及び図３に示すように、ｚ軸方向における両端部として、第１端部６ａと、第２端部６ｂと、を備える。第１端部６ａは、ｚ軸方向負側の端部であって、光学部材４と対向する。第２端部６ｂは、ｚ軸方向正側の端部であって、開口部２０と隣接する。第１端部６ａは、光学部材４を透過した光が入射する入射口を有する。第２端部６ｂは、光が出射する出射口を有する。
【００５５】
ホルダー６は、図１、図３及び図４に示すように、第２端部６ｂ付近において、配光部材５を保持するための第１保持溝６０を有する。第１保持溝６０は、配光部材５が光学部材４から所定の距離Ｄ１だけ離れるように、ホルダー６の内側面に設けられている。第１保持溝６０は、ホルダー６の内側面において、ホルダー６の径方向の外方へ窪むように形成されている。第１保持溝６０は、ホルダー６の周方向に沿って連続的に設けられている。第１保持溝６０は、断面矩形状に窪んでいる。第１保持溝６０のｚ軸方向における寸法（幅寸法）は、配光部材５の厚み寸法よりも若干大きい。略円板状の配光部材５は、その周縁部が周方向にわたって第１保持溝６０に嵌め合わされることで、ホルダー６に保持される。
【００５６】
ホルダー６は、第２端部６ｂがケース２の開口部２０よりも外側に突出しないように配置されている。図１示すように、第２端部６ｂの端面６３と支持体７の周縁端の端面７５とは、開口部２０から外部に露出する面であるため、互いに略面一であることが好ましい。この場合、見栄えのよい照明器具１を提供することができる。
【００５７】
また、ホルダー６は、図３及び図４に示すように、径方向における外側に突出する突出部６１を有する。突出部６１は、支持体７の溝部７３と嵌まり合うように構成されている。突出部６１は、第１端部６ａの外側面に設けられている。突出部６１は、フランジ状に第１端部６ａの周方向に沿って連続的に設けられている。
【００５８】
ホルダー６は、図３に示すように、第１端部６ａ付近において、弾性部材８を保持するための第２保持溝６４を有する。第２保持溝６４は、ホルダー６の内側面において、第１端部６ａよりもｚ軸方向正側に設けられている。第２保持溝６４は、ホルダー６の内側面において、ホルダー６の径方向の外方へ窪むように形成されている。第２保持溝６４は、ホルダー６の周方向に沿って連続的に設けられている。第２保持溝６４は、断面円弧状に窪んでいる。弾性部材８は、第２保持溝６４に嵌め合わされることで、ホルダー６の内部で保持される。なお、ホルダー６の、第２保持溝６４が形成されている内側面とは反対側の外側面には、支持体７の複数の突起７４が入り込むための凹所６２が設けられている。
【００５９】
ホルダー６は、エラストマー（例えばシリコーン樹脂）によって形成されている。この場合、ホルダー６を弾性変形させることができる。そのため、配光部材５をホルダー６に取り付ける際には、例えば第２端部６ｂの出射口が拡がるように第２端部６ｂを撓ませながら、配光部材５の周縁部をホルダー６の第１保持溝６０に容易に嵌め込むことができる。
【００６０】
弾性部材８は、支持体７に対するホルダー６の保持状態をより安定化するためのものである。弾性部材８は、例えば金属材料などによって略Ｃ字状に形成されて弾性変形し得る。弾性部材８は、図４に示すように、一対の把持部８０と、３つの凸部８１と、を備える。なお、図４では、弾性部材８は斜視図として示されて、一方、他の構成部材（例えば、ケース２、配光部材５、ホルダー６及び支持体７等）は斜視断面図として示されている。
【００６１】
Ｃ字状の弾性部材８の両端は、内側（光軸Ｌ１側）へ折り曲げられており、この折り曲げられた部分が、一対の把持部８０に相当する。なお、把持部８０は必須ではない。
【００６２】
また、弾性部材８が３箇所で部分的に内側へ略三角形状に窪むように折り曲げられており、これらの折り曲げられた部分が、３つの凸部８１に相当する。なお、凸部８１は必須ではない。凸部８１の数も特に限定されるものではない。
【００６３】
一対の把持部８０は、弾性部材８の取付け及び取外しの際に、作業者が弾性部材８を弾性変形させるために把持する部分である。作業者は、例えば一対の把持部８０が互いに接近するように指で一対の把持部８０に力を加えると、弾性部材８の径寸法が小さくなるように弾性変形させることができる。
【００６４】
３つの凸部８１は、弾性部材８をホルダー６の内部に挿入する際に、弾性部材８の位置を調整するために用いられる部分である。作業者は、例えば指などで弾性部材８の周方向に沿っていずれかの凸部８１に力を加えることで、ホルダー６の第２保持溝６４内における弾性部材８の位置を調整することができる。
【００６５】
（２．２）取付手順
以下、配光部材５をケース２側へ取り付ける手順を説明する。作業者は、一例として、ホルダー６をケース２内の支持体７に取り付けてから、弾性部材８をホルダー６の第２保持溝６４に嵌め合わせて、その後に配光部材５をホルダー６の第１保持溝６０に嵌め合わせてもよい。
【００６６】
この場合、作業者は、まずホルダー６をその径方向における内側へ弾性変形させながらケース２内へ挿入して、ホルダー６の突出部６１を支持体７の溝部７３に嵌め込む。次に、弾性部材８をその径寸法が小さくなるように指で力を加えることにより弾性変形させた状態で、ホルダー６の内部に挿入する。そして、ホルダー６の内部の所定の位置で弾性部材８に加えていた力を解除することで、弾性部材８を弾性復帰させて第２保持溝６４に嵌め合わせる。
【００６７】
第２保持溝６４内の弾性部材８は、ホルダー６を内側から外側（支持体７及びケース２側）に押す状態が維持される。したがって、溝部７３に嵌まり合った突出部６１とともに、ホルダー６がより安定的に支持体７に保持される。最後に、作業者は、ホルダー６の第２端部６ｂをｚ軸方向正側へ撓ませながら、配光部材５をホルダー６の第１保持溝６０に嵌め込むことで、配光部材５がホルダー６に保持される。
【００６８】
このようにして、ホルダー６は、配光部材５が光学部材４から所定の距離Ｄ１だけ離れた状態を保つように、配光部材５を内部で保持することができる。特に、ホルダー６は、支持体７に対して着脱可能に取り付けられる構造を有しているため、実際に照明器具１を利用するユーザでも、用途に合わせて容易に配光部材５を取り付けたり、取り外したりすることができる。例えば、不快グレアの抑制が不要である照明空間に照明器具１が配置される場合には、ユーザが適宜に配光部材５のみを、あるいはホルダー６と合わせて配光部材５を取り外すことができる。
【００６９】
（３）変形例
以下、上述した照明器具１（以下、単に「基本例」とよぶ）に対する変形例として照明器具１Ａについて図５及び図６を参照しながら説明する。ただし、基本例と同じ構成要素については同じ参照符号を付与して適宜に説明を省略する。
【００７０】
照明器具１Ａは、基本例における配光部材５を保持するホルダー６、及びホルダー６を支持する支持体７を備えていない点で、基本例と異なる。すなわち、照明器具１Ａは、照明器具１のホルダー６及び支持体７の代わりに、図５及び図６に示すように、一対の第１弾性部材１１及び第２弾性部材１２を備える。また、照明器具１Ａのケース２Ａは、第１弾性部材１１及び第２弾性部材１２をそれぞれ直接保持するための第１凹部２５及び第２凹部２６を備える。
【００７１】
照明器具１Ａの器具本体１００Ａは、光源３と、基台９と、反射部材１０と、光学部材４と、配光部材５Ａと、第１及び第２弾性部材１１，１２と、これらを内部に収容するケース２Ａと、を備える。
【００７２】
配光部材５Ａは、基本例の配光部材５と同様にハニカム構造を有する。すなわち、配光部材５Ａは、複数の筒体５０を有する。言い換えると、配光部材５Ａは、厚み方向に貫通する複数の導光孔５１を有する。配光部材５Ａの厚み寸法は、基本例の配光部材５の厚み寸法と略同じである。ただし、配光部材５Ａの外径寸法は、基本例の配光部材５の外径寸法よりも大きい。言い換えると、配光部材５Ａの筒体５０の数は、基本例の配光部材５の導光孔５１の数よりも多い。
【００７３】
ケース２Ａの第１凹部２５は、光学部材４よりもｚ軸方向正側におけるケース２Ａの内側面において、ケース２Ａの径方向の外方へ窪むように形成されている。第１凹部２５は、ケース２Ａの周方向に沿って連続的に設けられている。第１凹部２５は、例えば断面矩形状に窪んでいる。第１凹部２５のｚ軸方向における寸法（幅寸法）は、第１弾性部材１１の厚み寸法よりも若干大きい。第１弾性部材１１は、その周方向にわたって第１凹部２５に嵌め合わされることで、ケース２Ａの内部で保持される。
【００７４】
ケース２Ａの第２凹部２６は、第１凹部２５よりもｚ軸方向正側におけるケース２Ａの内側面において、ケース２Ａの径方向の外方へ窪むように形成されている。第２凹部２６は、ケース２Ａの開口部２０付近に設けられている。第２凹部２６は、ケース２Ａの周方向に沿って連続的に設けられている。第２凹部２６は、例えば断面矩形状に窪んでいる。第２凹部２６のｚ軸方向における寸法（幅寸法）は、第２弾性部材１２の厚み寸法よりも若干大きい。第２弾性部材１２は、その周方向にわたって第２凹部２６に嵌め合わされることで、ケース２Ａの内部で保持される。光軸Ｌ１の方向における第１凹部２５及び第２凹部２６間の距離は、配光部材５Ａの厚み寸法よりも若干大きい。
【００７５】
第１及び第２弾性部材１１，１２は、配光部材５Ａが光学部材４から所定の距離Ｄ１だけ離れるように、それらの間で配光部材５Ａを保持する。第１及び第２弾性部材１１，１２は、互いに同形及び同寸法であり、例えば金属材料などによって略Ｃ字状に形成されて弾性変形し得る。
【００７６】
第１弾性部材１１は、図６に示すように、３つの支持突起１１ａを備える。同様に、第２弾性部材１２は、図６に示すように、３つの支持突起１２ａを備える。なお、図６では、第１及び第２弾性部材１１，１２は斜視図として示されて、一方、他の構成部材（例えば、ケース２Ａ及び配光部材５Ａ等）は斜視断面図として示されている。
【００７７】
第１及び第２弾性部材１１，１２の外径は、第１及び第２弾性部材１１，１２がそれぞれ第１凹部２５及び第２凹部２６内に収まったときに弾性復帰力によりケース２Ａを外方に押す程度に、ケース２Ａの内径よりも若干大きい。
【００７８】
第１弾性部材１１は、３箇所で部分的に内側へ略三角形状に窪むように折り曲げられており、これらの折り曲げられた部分が、３つの支持突起１１ａに相当する。同様に、第２弾性部材１２は、３箇所で部分的に内側へ略三角形状に窪むように折り曲げられており、これらの折り曲げられた部分が、３つの支持突起１２ａに相当する。
【００７９】
第１及び第２弾性部材１１，１２間に配置された配光部材５Ａは、３つの支持突起１１ａ及び３つの支持突起１２ａによって、ｚ軸方向正側及び負側への移動が規制される。支持突起１１ａ及び支持突起１２ａの数は、特に限定されるものではない。支持突起１１ａ及び支持突起１２ａの数は、多いほど安定的に配光部材５Ａを支持することができる。一方で、支持突起１１ａ及び支持突起１２ａの数が多すぎると、これらの支持突起が光源３からの光を遮る要因となり得るため、図示例のようにそれぞれ３つ程度が望ましい。
【００８０】
なお、支持突起１１ａ及び支持突起１２ａは、第１及び第２弾性部材１１，１２をそれぞれケース２Ａの内部に挿入する際に、これらの弾性部材の位置を調整するための機能も有する。作業者は、例えば指などで第１弾性部材１１の周方向に沿っていずれかの支持突起１１ａに力を加えることで、ケース２Ａの第１凹部２５内の第１弾性部材１１の位置を調整することができる。
【００８１】
このような変形例においても、基本例と同様に、不快グレアを低減しつつ、発光効率の低下を抑えてさらに光源３に起因する輻射熱又は伝導熱による信頼性の低下を抑制することができる。
【００８２】
また、この変形例においては、基本例と違ってホルダー６及び支持体７を備えていないことから、基本例の配光部材５の外径寸法に比べて配光部材５Ａの外径寸法を増やすことができる。要するに、基本例のケース２に比べてケース２Ａの外形寸法を変えることなく、配光部材５Ａの筒体５０の数を、基本例の筒体５０の数よりも増やすことができるため、より効果的に不快グレアの低減を行うことができる。
【００８３】
（３．１）変形例の取付手順
以下、配光部材５Ａをケース２Ａ側へ取り付ける手順を説明する。作業者は、一例として、第１弾性部材１１をケース２Ａ内に取り付けて、配光部材５Ａをケース２Ａ内に挿入し、最後に第２弾性部材１２をケース２Ａ内に取り付けてもよい。
【００８４】
この場合、作業者は、まず、第１弾性部材１１をその径寸法が小さくなるように指で力を加えることにより弾性変形させた状態で、ケース２Ａの内部に挿入する。そして、ケース２Ａの内部の所定の位置で第１弾性部材１１に加えていた力を解除することで、第１弾性部材１１を弾性復帰させて第１凹部２５に嵌め合わせる。
【００８５】
続いて、作業者は、配光部材５Ａをケース２Ａの内部に挿入して、第１弾性部材１１の３つの支持突起１１ａの上に載せ置く。最後に、作業者は、第２弾性部材１２をその径寸法が小さくなるように指で力を加えることにより弾性変形させた状態で、ケース２Ａの内部に挿入する。そして、ケース２Ａの内部の所定の位置で第２弾性部材１２に加えていた力を解除することで、第２弾性部材１２を弾性復帰させて第２凹部２６に嵌め合わせる。その結果、配光部材５Ａがケース２Ａ内部で保持される。
【００８６】
このようにして、第１及び第２弾性部材１１，１２は、配光部材５Ａが光学部材４から所定の距離Ｄ１だけ離れた状態を保つように、配光部材５Ａを保持することができる。特に、第１及び第２弾性部材１１，１２は、ケース２Ａに対して着脱可能に取り付けられる構造を有しているため、実際に照明器具１Ａを利用するユーザでも、用途に合わせて容易に配光部材５Ａを取り付けたり、取り外したりすることができる。例えば、不快グレアの抑制が不要である照明空間に照明器具１Ａが配置される場合には、ユーザが適宜に配光部材５、第１及び第２弾性部材１１，１２を取り外すことができる。
【００８７】
（４）利点
以上説明したように、第１の態様に係る照明器具（１，１Ａ）は、筒状のケース（２，２Ａ）と、光源３と、光学部材４と、配光部材（５，５Ａ）と、を備える。ケース（２，２Ａ）は、一端に開口部２０を有する。光源３は、ケース（２，２Ａ）内に収容される。光学部材４は、透光性を有し、ケース（２，２Ａ）内において開口部２０と光源３との間に配置される。配光部材（５，５Ａ）は、光源３から光学部材４を通じて放射された光の配光を制御する。
【００８８】
配光部材（５，５Ａ）は、複数の筒体５０を有する。複数の筒体５０の各々は、第１端５０ａ及び第２端５０ｂが開口した中空の筒状に形成されて、光源３から開口部２０に向かう光の光軸Ｌ１に沿って延びる内側面５０ｃを有する。複数の筒体５０の各々の第１端５０ａは、光学部材４と対向し、複数の筒体５０の各々の第２端５０ｂは、開口部２０と対向する。配光部材（５，５Ａ）は、開口部２０と光学部材４との間において、光学部材４から所定の距離Ｄ１だけ離れるように配置されている。この構成によれば、不快グレアを低減しつつ、発光効率の低下を抑えてさらに光源３に起因する輻射熱又は伝導熱による信頼性の低下を抑制することができる。
【００８９】
第２の態様に係る照明器具（１，１Ａ）に関して、第１の態様において、所定の距離Ｄ１は、第１端５０ａから第２端５０ｂまでの距離以上であることが好ましい。この構成によれば、光源３に起因する輻射熱又は伝導熱による信頼性の低下をさらに抑制することができる。
【００９０】
第３の態様に係る照明器具１は、第１の態様又は第２の態様において、さらに、両端が開口した中空筒状のホルダー６を備えることが好ましい。ホルダー６は、配光部材５が光学部材４から所定の距離Ｄ１だけ離れた状態を保つように、配光部材５を内部で保持することが好ましい。この構成によれば、配光部材５が光学部材４から所定の距離Ｄ１だけ離れた状態をより安定的に保つことができる。
【００９１】
第４の態様に係る照明器具１は、第３の態様において、さらに、両端が開口した中空筒状の支持体７を備えることが好ましい。支持体７の外側面は、開口部２０と光学部材４との間におけるケース２の内側面を覆うことが好ましい。支持体７は、支持体７の内部でホルダー６を着脱可能に支持することが好ましい。この構成によれば、ホルダー６とともに配光部材５の取り付け及び取り外しを適宜に行うことができ、利便性を向上させることができる。
【００９２】
第５の態様に係る照明器具１に関して、第４の態様において、ホルダー６は、径方向における外側に突出する突出部６１を有することが好ましい。支持体７は、突出部６１が嵌まり合う溝部７３を有することが好ましい。この構成によれば、支持体７に対するホルダー６の取り付け及び取り外し作業をさらに容易とすることができる。
【００９３】
第６の態様に係る照明器具（１，１Ａ）に関して、第１〜第５の態様のいずれかにおいて、複数の筒体５０の各々は、六角筒状に形成されることが好ましい。配光部材（５，５Ａ）は、複数の筒体５０が結合されたハニカム構造を有することが好ましい。この構成によれば、配光部材（５，５Ａ）による不快グレアの抑制をさらに向上させることができる。
【符号の説明】
【００９４】
１，１Ａ  照明器具
２，２Ａ  ケース
２０  開口部
３  光源
４  光学部材
５，５Ａ  配光部材
５０  筒体
５０ａ  （筒体の）第１端
５０ｂ  （筒体の）第２端
５０ｃ  （筒体の）内側面
６  ホルダー
６１  突出部
７  支持体
７３  溝部
Ｄ１  所定の距離
Ｌ１  光軸
【図１】
2018045867.tif 000003
【図２】
2018045867.tif 000004
【図３】
2018045867.tif 000005
【図４】
2018045867.tif 000006
【図５】
2018045867.tif 000007
【図６】
2018045867.tif 000008